(57)【要約】      （修正有）【課題】安定した状態で、首周りに装着することが可能な帯状装身具を提供する。【解決手段】帯状に形成される第１布地体１０と、帯状に形成される第２布地体１１と、第１布地体１０と第２布地体１１を縫製することにより形成される閉鎖空間に収容される粒状の吸水性樹脂３と、帯状に形成される第３布地体１２と、第２布地体１１及び／又は第１布地体１０と、第３布地体１２とを縫製することにより形成される空間に収容されるＣ字状の弾性体２と、を設けて首周りに巻回するための帯状装身具を構成する。【選択図】図５
0003167405.tif 000002
【実用新案登録請求の範囲】
【請求項１】
首周りに巻回するための帯状装身具であって、
帯状に形成される第１布地体と、
帯状に形成される第２布地体と、
第１布地体と第２布地体を縫製することにより形成される閉鎖空間に収容される粒状の吸水性樹脂と、
帯状に形成される第３布地体と、
第２布地体及び／又は第１布地体と、第３布地体とを縫製することにより形成される空間に収容されるＣ字状の弾性体と、を備えたことを特徴とする帯状装身具。
【請求項２】
前記第１布地体と前記第２布地体の長手方向の両端部は、斜めにカットされ、前記第１布地体と前記第２布地体は、台形状に形成されていることを特徴とする請求項１に記載の帯状装身具。
【請求項３】
前記第１布地体と前記第２布地体とは、周囲全周と、幅方向中央部分を長手方向に沿って縫製してあることを特徴とする請求項１又は２に記載の帯状装身具。
【請求項４】
前記第２布地体と前記第３布地体に前記弾性体を挿入するための開口部が形成されることを特徴とする請求項１〜３のいずれか１項に記載の帯状装身具。
【考案の詳細な説明】
【技術分野】
【０００１】
本考案は、首周りに巻回するための帯状装身具に関するものである。
【背景技術】
【０００２】
かかる帯状装身具は、首周りに巻き付けて、心地よい清涼感を長時間感じさせることを目的とするものである。例えば、下記特許文献に開示される身体用清涼帯は、保水性及び吸湿性を有する粒状の高分子ポリマーと、この高分子ポリマーを収容する高吸水性繊維を素材とする帯状の布地体から構成される。高分子ポリマーは、布地体の折り返し部内に収納され、布地体の周囲を縫製する。このような帯状装身具は、人体における発汗が多い部位である首周りに巻き付けることで、発汗を抑制し心地よい清涼感を感じさせるものである。
【先行技術文献】
【特許文献】
【０００３】
【特許文献１】実用新案登録３１５００９７
【考案の概要】
【考案が解決しようとする課題】
【０００４】
しかしながら、上記帯状装身具は、首周りに安定した状態で装着しておくことが難しい。そこで、本考案は、安定した状態で首周りに装着することが可能な帯状装身具を提供することである。
【課題を解決するための手段】
【０００５】
上記課題を解決するため本考案に係る首周りに巻回するための帯状装身具は、
帯状に形成される第１布地体と、帯状に形成される第２布地体と、
第１布地体と第２布地体を縫製することにより形成される閉鎖空間に収容される粒状の吸水性樹脂と、
帯状に形成される第３布地体と、
第２布地体及び／又は第１布地体と、第３布地体とを縫製することにより形成される空間に収容されるＣ字状の弾性体と、を備えたことを特徴とするものである。
【０００６】
かかる構成による帯状装身具の作用・効果は次の通りである。まず、帯状に形成される第１布地体と第２布地体を縫製することで閉鎖空間を形成し、その空間に粒状の吸水性樹脂を収容する。このような構成によれば、帯状装身具に水を含ませた状態で首に巻き付けると、その水が蒸発するときに熱を奪う気化熱の作用で清涼感を感じることができる。また、第２布地体及び／又は第１布地体と、第３布地体とを縫製することにより形成される空間にＣ字状の弾性体を収容する。この弾性体により首周りに安定した状態で帯状装身具を保持することができる。Ｃ字状に形成されているので、首周りを無理に締め付けることなく、ぴったりとフィットさせることができる。これにより、安定した状態で首周りに装着することが可能な帯状装身具を提供することができる。
【０００７】
本考案において、前記第１布地体と第２布地体の長手方向の両端部は、斜めにカットされ、前記第１布地体と第２布地体は、台形状に形成されていることが好ましい。
【０００８】
この構成によると、両端部が斜めにカットされた形状であるので、首周りへの装着を行いやすい。例えば、カッターシャツの襟の中にも容易に装着させることができる。
【０００９】
本考案において、前記第１布地体と第２布地体とは、周囲全周と、幅方向中央部分を長手方向に沿って縫製してあることが好ましい。
【００１０】
この構成によると、周囲全周だけでなく、幅方向中央部分も長手方向に沿って縫製しているので、粒状の吸水性樹脂を収容する空間が区画されることになる。従って、空間内を移動しやすい吸水性樹脂をある程度安定した状態で保持させることができる。
【００１１】
本考案において、前記第２布地体と第３布地体に前記弾性体を挿入するための開口部が形成されることが好ましい。
【００１２】
このような開口部を設けておくことで、布地体を縫製した後に弾性体を組み込むことができるので、組立性を向上させることができる。
【図面の簡単な説明】
【００１３】
【図１】帯状装身具の外観を示す斜視図
【図２】帯状装身具の使用状態を示す図
【図３】帯状装身具を平面展開した状態を示す図
【図４】弾性体を示す斜視図
【図５】帯状装身具の内部構造を示す図
【図６】弾性体の別実施形態を示す図
【考案を実施するための形態】
【００１４】
本考案に係る帯状装身具の好適な実施形態を図面を用いて説明する。図１は、帯状装身具の外観を示す斜視図であり、図２は、使用状態を示す図である。図３は、平面展開した状態を示し、（ａ）は首に接触する内側からみた展開図であり、（ｂ）は外側から見た展開図である。図４は、帯状装身具１の内部に収容される弾性体２の構成を示す外観図であり、図５は、内部構造を示す断面図である。
【００１５】
＜外観構成＞
図１に示すように、この帯状装身具１は、全体としてＣ字状に形成されており、図２に示すように首周りに装着して使用する。帯状装身具１は、第１布地体１０、第２布地体１１、第３布地体１２を縫製することにより構成される。第１布地体１０は、図３に示すように帯状であるが、長手方向の両端部は斜めにカットされて斜面部１０ａを有する。従って、全体として横長の台形状に形成される。第２布地体１１もほぼ第１布地体１０と同じ形状の横長の台形状である。
【００１６】
第１布地体１０と第２布地体１１は、その全周領域１３が縫製されている。従って、図５に示すように、内部に閉塞空間が形成され多数の粒状（小さな球体）の高吸水性樹脂３が収容されている（図５参照）。また、第１布地体１０と第２布地体１１は、その幅方向中央ライン１４が長手方向に沿って縫製されている。さらに、中央ライン１４に直交する幅方向ライン１５も縫製されている。幅方向ライン１５は、幅方向の全長が縫製されるのではなく、幅方向の１／５〜１／３が縫製される。
【００１７】
高吸水性樹脂３は、直径が０．１〜０．３ｍｍ程度の保水性および吸湿性を有する高分子ポリマーである。また、布地体は高吸水性繊維で形成される。上記のように幅方向中央ラインと幅方向ライン１５が縫製されることで、内部の閉塞空間をある程度仕切ることができる。これにより、小さな粒状の高吸水性樹脂３が閉鎖空間内を自由に移動することを抑制している。すなわち、空間内にできるだけ均等な状態に高吸水性樹脂３を保持させることができる。
【００１８】
図３（ｂ）に示すように、第３布地体１２が第１布地体１０及び第２布地体１１と共に縫製されている。これにより、第３布地体１２と第２布地体１１の間に弾性体２を収容するための空間部が形成される（図５参照）。
【００１９】
第１〜第３布地体１０〜１２は、高吸水性繊維、例えば、ポリエステル繊維により形成することができる。
【００２０】
第３布地体１２の左端には、第１布地体１０及び第２布地体１１と同様に斜めにカットされた斜面部１２ａが形成される。ただし、右端１２ｂは垂直にカットされており、第３布地体１２の長手方向の長さは、第１布地体１０や第２布地体１１よりも短くなっている。また、第３布地体１２は、第１・第２布地体１０，１１と周縁が縫製されているが、右端１２ｂは縫製されていない。従って、この部分は、内部に弾性体２を挿入するための開口部として機能する。
【００２１】
弾性体２はＣ字状を有しており、バネ性も有している。従って、第１〜第３布地体１０〜１２を縫製してから、開口部を介して弾性体２を挿入するようにすれば、組立作業が容易になる。
【００２２】
また、弾性体２は首周りの大きさに応じてサイズを変えたほうが好ましい。そこで、上記のように開口部を設けておくことで、弾性体２を異なるサイズのものに交換することが容易になる。弾性体２としては、形状記憶樹脂や通常の合成樹脂、あるいは、金属により形成することができる。
【００２３】
図６は、帯状装身具１の内部に収容される弾性体２の別実施形態を示す図である。形状がＣ字状である点は同じであるが、先端部２ａが少し内側へねじれた形状を有している。これにより、首周りにフィットしやすい形状にしている。
【００２４】
＜使用方法＞
本考案に係る帯状装身具１は、種々の場面で使用することができる。例えば、レジャーに出かけるとき、通勤・通学時、スポーツを行うとき、屋外で作業をするとき、車の運転中や、オフィスで仕事をするときなど、あらゆる場面での使用が可能である。
【００２５】
使用する前に、帯状装身具１に水を含ませるだけでよい。例えば、水道の蛇口をひねり帯状装身具１をぬらすだけでよい。これにより、水が布地体１０〜１３を介して内部の空間に浸透し、高吸水性樹脂３の保水性により水を保持する。
【００２６】
次に図１に示すように首周りに帯状装身具１を装着させる。カッターシャツの襟の下にも容易に挿入することができる。特に、帯状装身具１の長手方向の両端部は、斜めにカットされているので、挿入もしやすくなっている。
【００２７】
本考案に係る帯状装身具１は、首周りに装着するのみでよく、スカーフのように結び目を作る必要はない。従って、装着したときも水がぽたぽた落ちることなく不快感を感じさせない。また、装着した時にそれほど目立たないので、人目を気にすることなく使用することができる。
【符号の説明】
【００２８】
１        帯状装身具
１０      第１布地体
１１      第２布地体
１２      第３布地体
１４      幅方向中央ライン
１５      幅方向ライン
２        弾性体
３        高吸水性樹脂
【図１】
0003167405.tif 000003
【図２】
0003167405.tif 000004
【図３】
0003167405.tif 000005
【図４】
0003167405.tif 000006
【図５】
0003167405.tif 000007
【図６】
0003167405.tif 000008